(57)【要約】【課題】施工性がよく、コストも低く抑えることができる格子フェンス。【解決手段】左右の縦材４に横格子３を等間隔に取り付けた複数の格子ユニットを上下に配置し、上下に配置された格子ユニットのうち一方の格子ユニットの縦材４の端部には連結材６を取り付け、該連結材６の端部には係合突部７を突出形成し、他方の格子ユニットの端部には、上記係合突部７に係合可能な被係合部９を形成し、上下の格子ユニットの縦材４を設置面１に立設された一対の支柱２ａ、２ｂの側面にビス止め固定するとともに、一方の格子ユニットの被係合部９を他方の格子ユニットの係合突部７に係合させた。【選択図】図１
2009068270.tif 000002
【特許請求の範囲】
【請求項１】
左右の縦材に横格子を等間隔に取り付けた複数の格子ユニットを上下に配置し、上下に配置された格子ユニットのうち一方の格子ユニットの縦材の端部には連結材を取り付け、該連結材の端部には係合突部を突出形成し、他方の格子ユニットの端部には、上記係合突部に係合可能な被係合部を形成し、上下の格子ユニットの縦材を設置面に立設された一対の支柱の側面にビス止め固定するとともに、一方の格子ユニットの被係合部を他方の格子ユニットの係合突部に係合させた
ことを特徴とする格子フェンス。
【請求項２】
上記縦材の被係合部は上記係合突部と嵌合可能な断面形状に形成されていることを特徴とする、請求項１に記載の格子フェンス。
【請求項３】
上記係合突部には上記柱にビス止め可能なビス穴が設けられていることを特徴とする、請求項１叉は２に記載の格子フェンス。
【請求項４】
上記支柱の下端部には上記最下部の格子ユニットの縦材の下端をビス止めする固定金具が取り付けられているとともに、該固定金具には上記最下部の格子ユニットの下端を塞ぐ蓋部が形成されていることを特徴とする、請求項１〜３のいずれかに記載の格子フェンス。
【請求項５】
設置面に立設された一対の支柱の側面に、複数の横格子を等間隔に取り付ける格子フェンスの横格子の取付方法であって、左右の縦材間に横格子を等間隔に少数本取り付けて複数の格子ユニットを形成し、さらに上下に配置される格子ユニットのうち一方の格子ユニットの縦材の端部には連結材を取り付け、該連結材の端部には係合突部を突出形成するとともに、他方の格子ユニットの端部には、上記係合突部に係合可能な被係合部を形成しておき、まず、最下部の格子ユニットの縦材を上記支柱に固定するとともに、該格子ユニットの上方に別の格子ユニットを配置し、一方の格子ユニットの被係合部を他方の格子ユニットの係合突部に係合し、さらにその上に他の格子ユニットを同じ要領で上方に順次に取り付ける
ことを特徴とする格子フェンスにおける横格子の取付方法。
【請求項６】
上記係合突部と被係合部とは嵌合状に係合可能に形成されていることを特徴とする、請求項５に記載の格子フェンスにおける横格子の取付方法。
【請求項７】
上記係合突部を上記支柱にビス止め下ことを特徴とする、請求項５又は６に
【請求項８】
上記支柱の上端部を建物の外壁から迫り出した突壁の下面に固定したときは、上から２段目の横格子ユニットの上端部と最上部の横格子ユニットの上下両端部とはそれぞれ上記支柱にビス止め固定したことを特徴とする、請求項５〜７のいずれかに記載の格子フェンスにおける横格子の取付方法。
【請求項９】
上部の格子ユニットよりも下部の格子ユニットの方に横格子が多く配置されている、請求項５〜８のいずれかに記載の格子フェンスにおける横格子の取付方法。
【発明の詳細な説明】
【技術分野】
【０００１】
本発明は、地面に立設された支柱に対して複数の横格子を平行に取り付けた構成の格子フェンス及びその横格子の取り付け方法に関する。
【背景技術】
【０００２】
一般に、並設された支柱に多数の横格子を固定してなるフェンスとして、最近は幅狭の横格子を多数使用して全体として繊細なデザインとしたものが提案実施されている。
【０００３】
このようなフェンスは、まず設置面に立設された支柱の長手方向に沿って小さな間隔で多数の取付金具を固定しておき、さらに左右の支柱の取付金具に取付ビスにより横格子を固定することによって施工されている。また、縦材に切り欠きを形成し、切り欠きに格子を引っ掛けて取付ける（特願２００７−２０２１７）ものも提案されている。このようなフェンス構成によれば、道路側からはビスも取付金具も切り欠きも隠れて見えず、横格子と支柱とが見えるだけであるから、上記フェンスの外観は上述のように繊細で洗練されたデザインのものとして現われる。
【発明の開示】
【発明が解決しようとする課題】
【０００４】
しかしながら、上記デザインは幅狭の横格子を小さな間隔で配設することによって得られるものであり、また横格子１本に対する取付ビスは両端に各１個ずつ必要となるから、施工にあたって使用する取付金具の数が非常に多く、使用するビスも大量に必要であるから、作業に手間がかかった。また、使用する取付金具が多数で、取付作業に手間がかかるため、コストも高いものにならざるを得なかった。さらに、敷地内側から取付金具や取付ビスが露出するので、見栄えがあまりよくなかった。
【０００５】
さらに、一人で各横格子のビス止め作業をしなければならないときは、横格子を水平状態に保ってビス止めすることはできない。横格子の一端を一方の支柱にビス止めしているときは、横格子の他端は水平となるように保持しておくことができず、下に垂れたままとしておき、これを水平に上げてから取付ビスを打つことになり、作業が面倒であった。
【０００６】
本発明は上記問題点を解消し、施工性がよく、コストも低く抑えることができる格子フェンスを提供することをその第１の課題とする。
【０００７】
また、本発明は横格子を簡単、迅速かつ確実に取りつけることができる格子フェンスの取りつけ方法を提供することをその第２の課題とする。
【課題を解決するための手段】
【０００８】
上記課題を解決するため、請求項１に係る発明は、左右の縦材に横格子を等間隔に取り付けた複数の格子ユニットを上下に配置し、上下に配置された格子ユニットのうち一方の格子ユニットの縦材の端部には連結材を取り付け、該連結材の端部には係合突部を突出形成し、他方の格子ユニットの端部には、上記係合突部に係合可能な被係合部を形成し、上下の格子ユニットの縦材を設置面に立設された一対の支柱の側面にビス止め固定するとともに、一方の格子ユニットの被係合部を他方の格子ユニットの係合突部に係合させたことを特徴とする。
【０００９】
請求項２に係る発明は、請求項１において、上記縦材の被係合部は上記係合突部と嵌合可能な断面形状に形成されていることを特徴とする。
【００１０】
請求項３に係る発明は、請求項１又は２において、上記係合突部には上記柱にビス止め可能なビス穴が設けられていることを特徴とする。
【００１１】
請求項４に係る発明は、請求項１〜３のいずれかにおいて、上記支柱の下端部には上記最下部の格子ユニットの縦材の下端をビス止めする固定金具が取り付けられているとともに、該固定金具には上記最下部の格子ユニットの下端を塞ぐ蓋部が形成されていることを特徴とする。
【００１２】
請求項５に係る発明は、設置面に立設された一対の支柱の側面に、複数の横格子を等間隔に取り付ける格子フェンスの横格子の取付方法であって、左右の縦材間に横格子を等間隔に少数本取り付けて複数の格子ユニットを形成し、さらに上下に配置される格子ユニットのうち一方の格子ユニットの縦材の端部には連結材を取り付け、該連結材の端部には係合突部を突出形成するとともに、他方の格子ユニットの端部には、上記係合突部に係合可能な被係合部を形成しておき、まず、最下部の格子ユニットの縦材を上記支柱に固定するとともに、該格子ユニットの上方に別の格子ユニットを配置し、一方の格子ユニットの被係合部を他方の格子ユニットの係合突部に係合し、さらにその上に他の格子ユニットを同じ要領で上方に順次に取り付けることを特徴とする。
【００１３】
請求項６に係る発明は、請求項５において、上記係合突部と被係合部とは嵌合状に係合可能に形成されていることを特徴とする。
【００１４】
請求項７に係る発明は、請求項５又は６において、上記係合突部を上記支柱にビス止め下ことを特徴とする。
【００１５】
請求項８に係る発明は、請求項５〜７のいずれかにおいて、上記支柱の上端部を建物の外壁から迫り出した突壁の下面に固定したときは、上から２段目の横格子ユニットの上端部と最上部の横格子ユニットの上下両端部とはそれぞれ上記支柱にビス止め固定したことを特徴とする。
【００１６】
請求項９に係る発明は、請求項５〜８のいずれかにおいて、上部の格子ユニットよりも下部の格子ユニットの方に横格子が多く配置されていることを特徴とする。
【発明の効果】
【００１７】
請求項１に係る発明によれば、現場で格子を一本ずつ組みつけるのではなく、いくつかにユニット化された格子ユニットをサイズに応じて取りつけることにより目的の高さの格子フェンスを組み立てることができる。しかも、一方の格子ユニットの被係合部を他方の格子ユニットの係合突部に係合させることによって組み付けるので、被係合部の位置出しが不要で、ビス止めの必要もない。したがって、施工性が非常によく、簡単、迅速かつ確実に取りつけることができる。そのため、コストも低く抑えることができる。
【００１８】
請求項２に係る発明によれば、縦材の被係合部は上記係合突部と嵌合状に係合可能な断面形状に形成されているから、上方の格子ユニットの縦材の被係合部を下方の縦材の係合突部に嵌合状に係合させることにより、上下の格子ユニットを連結させる作業を非常に容易に行なうことができる。
【００１９】
請求項３に係る発明によれば、係合突部には柱にビス止め可能なビス穴が設けられているので、係合突部をビス止めすることにより、係合突部の上から係合した被係合部を強く保持することができるとともに、被係合部を高い精度で位置出しすることができ、さらにビスの頭部を被係合部によって隠すことができるので、美観上体裁がよい。
【００２０】
請求項４に係る発明によれば、支柱の下端部には最下部の格子ユニットの縦材の下端をビス止めする固定金具が取り付けられているとともに、該固定金具には上記最下部の格子ユニットの下端を塞ぐ蓋部が形成されているから、最下部の格子ユニットの下端をビス止めすると、そのまま格子ユニットの下端が固定金具の蓋部に塞がれるので、別途キャップを取りつける必要がない。
【００２１】
請求項５に係る発明は、予め格子ユニットを工場で組んでおき、現場で立設された支柱に対し、まず最下部の格子ユニットの縦材を支柱に固定するとともに、該格子ユニットの上方に別の格子ユニットを配置し、その被係合部を上記最下部の格子ユニットの係合突部に係合し、さらにその上に他の格子ユニットを同じ要領で上方に順次に取り付けるものであるから、施工現場では格子ユニット単位で取りつけることができるので、施工性がよく、コストも低く抑えることができる。
【００２２】
請求項６に係る発明によれば、上記係合突部と被係合部とは嵌合状に係合可能に形成されているので、組み付け作業が容易である。
【００２３】
請求項６に係る発明によれば、係合突部を上記支柱にビス止めしたので、請求項３に係る発明と同様の効果を得ることができる。
【００２４】
請求項７に係る発明によれば、支柱の上端部を建物の外壁から迫り出した突壁の下面に固定したときは、上から２段目の横格子ユニットの上端部と最上部の横格子ユニットの上下両端部とはそれぞれ上記支柱にビス止め固定するようにしたので、最上部の格子ユニットを支柱に対して水平方向に移動させて固定することができる。
【００２５】
請求項８に係る発明によれば、上部の格子ユニットよりも下部の格子ユニットの方に横格子が多く配置されているので、一般には作業が困難な高所では軽い格子ユニットを扱うことになるので、作業を容易に行なうことができる。
【発明を実施するための最良の形態】
【００２６】
図１は本発明に係る格子フェンスＡを建物の壁から迫り出した突壁部Ｂの下方のキャンチ部Ｃに格子スクリーンとして設置した形態の斜視図であり、図２はその側面図である。
【００２７】
上記格子スクリーンＡは、設置面１に立設されたアルミニウム製の支柱２ａ、２ｂ間に複数のアルミニウム製横格子３を平行に固定したものであり、ここで上記格子スクリーンＡの施工手順とともに、支柱２ａ、２ｂの側面に複数の横格子３を等間隔に取り付ける横格子３の取付方法について説明する。なお、支柱２ｂは支柱２ａに比べて細く、しかも断面がＬ字形に形成されている。
【００２８】
まず、工場において左右のアルミニウム製縦材４間に横格子３を等間隔に取り付けてユニット化しておく。縦材４は断面が角形Ｃ字状に形成された押出型材によって形成され、横格子３も同様にアルミニウムの押出型材から形成され、各横格子３の両端は縦材４にビス止めする。横格子３の小口にはキャップ５を取り付ける。
【００２９】
なお、縦材４の長さと横格子３の取付本数とその構成は同じではない。下用格子ユニットａと中間用格子ユニットｂと上から２段目の２段目用格子ユニットｃと上用格子ユニットｄとで異なるように構成されている。
【００３０】
下用格子ユニットａは、下方に配置されるもので、図３に示されるように、縦材４が長く、横格子３の本数も最も多く（実施形態では６本）取り付ける。また、縦材４の上端部には連結材６を嵌合させ、最上部の横格子３とともに、縦材４にビス止め固定する。連結材６の上端部には先細の係合突部７が形成され、後述のように縦材４の上端の上方に突出している。係合突部７には皿穴状のビス取付穴８が形成されている。なお、係合突部７は次に示す上方の縦材４の下端の被係合部９内側に嵌め込んで係合する程度の大きさに形成されている。
【００３１】
中間用格子ユニットｂは、図４に示されるように、上記下用格子ユニットａと後述の２段目用格子ユニットｃとの間に配置されるもので、下用格子ユニットａとは縦材４の長さが中間用格子ユニットｂと同じか短く、横格子３の本数も同じか少なく（実施形態では５本）なっているとともに、縦材４の上端部には連結材６を嵌合させ、最上部の横格子３とともに、縦材４にビス止め固定する。
【００３２】
２段目用格子ユニットｃは、図５に示されるように、縦材４が短く、横格子３の本数も同じかそれよりも少なく（実施形態では６本）取り付ける。２段目用格子ユニットｃには連結材６は取り付けない。
【００３３】
最上部の上用格子ユニットｄは、図６に示されるように、縦材４の長さが短く、横格子３の本数も少なく（実施形態では３本）なっているとともに、連結材６は取り付けない構成となっている。
【００３４】
次に、施工現場の状況に応じて所定の数の格子ユニットを揃えて搬送する。そして、図７に示されるように、設置面１に１対の支柱２ａ、２ｂを立設する。支柱２ａの上下端には取付金具１０、１１を固定する。取付金具１０、１１には図８に示すように、支柱２ａに嵌合する嵌合部１２と嵌合部１２の側方に突出する取付片１３とが形成されている。嵌合部１２を支柱２ａに嵌入してビスによって固定した後、下部取付金具１１の取付片１３を設置面１（コンクリート面）にボルトで固定し、上部取付金具１０の取付片１３を突壁部Ｂの下面にボルトで固定する。なお、支柱２ｂはＬ字形に屈曲形成されているので、外部から見えにくいように、キャンチ部Ｃの内側に配置される部分が直接にキャンチ部Ｃの壁面Ｃ１にビス止め固定され、下端は設置面１から浮き、上下端にはキャップが取り付けられているとともに、上端は突壁部Ｂの下面から離間するように配置されている。さらに、図９に示されるように、支柱２ａ、２ｂの取付面の下端にはアタッチメントキャップ（固定金具）１５をビス止めする。アタッチメントキャップ１５は、蓋部１６の上部にコ字形の起立部１７を形成した金具であり、起立部１７は支柱２ａ、２ｂに固定される。なお、起立部１７の幅は縦材４の背面側の溝の幅と略同じに形成されている。
【００３５】
このようにして１対の支柱２ａ、２ｂが立設された後、格子ユニットａ〜ｄを下から上方に順次組みつけていく。まず、図９及び図１０に示されるように、最下部の下用格子ユニットａの縦材４をアタッチメントキャップ１５の起立部１７に嵌めつけ、ビス１９でアタッチメントキャップ１５とともに支柱２ａ、２ｂに固定する。さらに、上端の連結材６の係合突部７のビス取付穴８からビス１９を支柱２ａ、２ｂに固定する。これにより、最下部の下用格子ユニットａは支柱２ａ、２ｂに固定される。
【００３６】
次に、図１０に示されるように、最下部の格子ユニットａの上方に中間用格子ユニットｂを配置し、縦材４の被係合部９を最下部の格子ユニットａの係合突部７に嵌合させるように係合させる。さらに、縦材４の上端から突出した係合突部７を上述の要領で支柱２ａ、２ｂにビス止め固定する。これにより、中間用格子ユニットｂの上下端部は固定される。
【００３７】
中間用格子ユニットｂの上方にさらに別の中間用格子ユニットｂを固定するときも、同じ要領で取り付ければよい。
【００３８】
さらに、中間用格子ユニットｂの上方に２段目用格子ユニットｃを取り付けるにあたり、縦材４の下端部は、図１１に示されるように、その被係合部９を中間用格子ユニットｂの上端の係合突部７に係合させればよい。これに対し、縦材４の上端部は直接に支柱２ａ、２ｂにビス止め固定する。
【００３９】
最後に、最上部の上用格子ユニットｄの縦材の上端にキャップ１８を取り付けた後、図１２に示されるように、水平方向に移動させ、縦材４の上下端部を直接に支柱２ａ、２ｂにビス止め固定する。
【００４０】
以上の施工手順により、建物のキャンチ部Ｃには、図１、図２に示すように、左右の縦材４に横格子３を等間隔に取り付けた複数の種類の格子ユニットａ〜ｄを上下に配置し、上下に配置された格子ユニットのうち下方の格子ユニットの縦材４の上端部には連結材６を取り付け、該連結材６の上端部には図１０のように係合突部７を突出形成し、上方の格子ユニットの下端部には、上記係合突部７に係合可能な被係合部９を形成し、上下の格子ユニットの縦材４を設置面１に立設された一対の支柱２ａ、２ｂの側面にビス止め固定するとともに、上方の格子ユニットの被係合部９を下方の格子ユニットの係合突部７に係合させた基本的構造を備えた格子スクリーンＡが完成する。
【００４１】
以上詳しく説明したように、予め格子ユニットａ〜ｄを工場で組んでおき、現場で立設された支柱２ａ、２ｂに対し、まず最下部の格子ユニットａの縦材４を支柱２ａ、２ｂに固定するとともに、該格子ユニットの上方に別の格子ユニットを配置し、その被係合部９を上記最下部の格子ユニットの係合突部７に係合し、さらにその上に他の格子ユニットを同じ要領で上方に順次に取り付けるものであるから、施工現場では格子ユニット単位で取りつけることができるので、施工性が非常によく、迅速かつ確実に取りつけることができる。そのため、コストも低く抑えることができる。しかも、上部の格子ユニットよりも下部の格子ユニットの方に横格子３が多く配置されているので、一般には作業が困難な高所では軽い格子ユニットを扱うことになるので、作業を容易に行なうことができる。
【００４２】
また、係合突部７を上記支柱２ａ、２ｂにビス止めしたので、係合突部７には支柱２ａ、２ｂにビス止め可能なビス取付穴８が設けられているので、係合突部７をビス止めすることにより、係合突部７の上から係合した被係合部９を強く保持することができるとともに、被係合部９を高い精度で位置出しすることができ、さらにビスの頭部を被係合部９によって隠すことができるので、美観上体裁がよい。
【００４３】
さらに、支柱２ａの上端部を建物の外壁から迫り出した突壁の下面に固定したときは、上から２段目の横格子３ユニットｃの上端部と最上部の格子ユニットｄの上下両端部とはそれぞれ支柱２ａ、２ｂにビス止め固定するようにしたので、最上部の格子ユニットｄを支柱２ａ、２ｂに対して水平方向に移動させて固定することができる。
【００４４】
さらにまた、上記格子スクリーンＡ構造によれば、現場で格子を一本ずつ組みつけるのではなく、いくつかにユニット化された格子ユニットａ〜ｄをサイズに応じて取りつけることにより目的の高さの格子フェンスＡを組み立てることができる。しかも、上方の格子ユニットの被係合部９を下方の格子ユニットの係合突部７に嵌合状に係合させることによって組み付けるので、被係合部９の位置出しが不要で、ビス止めの必要もない。したがって、施工性が非常によい。そのため、コストも低く抑えることができる。
【００４５】
しかも、支柱２ａ、２ｂの下端部には最下部の格子ユニットの縦材４の下端をビス止めするアタッチメントキャップ１５が取り付けられているとともに、該アタッチメントキャップ１５には上記最下部の格子ユニットの下端を塞ぐ蓋部１６が形成されているから、最下部の格子ユニットａの下端をビス止めすると、そのまま格子ユニットａの下端が固定金具の蓋部１６に塞がれるので、別途キャップを取りつける必要がない。
【００４６】
なお、係合突部７と被係合部９とは、嵌合状に係合するものに限定されない。
【００４７】
また、上述の形態とは逆に、上方の格子ユニットの下端に連結材を取りつけて係合突部を下方に突出させ、下方の格子ユニットの上端に被係合部を形成する構成であってもよい。
【００４８】
なお、上述の形態は建物のキャンチ部Ｃに設置した例であるが、そのほか、玄関ポーチの屋外側に配設するときは、支柱の上端はフリーになっているので、図１３に示されるように、上述のような２段目用格子ユニットｃも中間用格子ユニットｂと同じく（但し横格子の数は少なくてもよい）として、その上端部に連結材６を取り付ける構造とし、上用格子ユニットｄを上方から下方にスライドさせて上記連結材６の係合突部７に嵌め込む構造にすればよい。
【００４９】
また、上述の形態は建物のキャンチ部Ｃや玄関ポーチに設置した例であるが、敷地と道路とを画成する格子フェンスとして構成することもできる。この場合も、支柱が自立柱で上方が開放されているので、上述の２段目の格子ユニットは中間用格子ユニットと同じく、縦材の上端に連結材を取り付けた構成とし、その係合突部に上用格子ユニットの縦材の下端の被係合部を差し込むように係合させ、最後に上用格子ユニットの上端を支柱２ａ、２ｂにビス止め固定すればよい。
【図面の簡単な説明】
【００５０】
【図１】本発明に係る格子スクリーンの完成状態の斜視図
【図２】図１の側面図
【図３】下用格子ユニットの分解斜視図
【図４】中間用格子ユニットの分解斜視図
【図５】２段目用格子ユニットの分解斜視図
【図６】上用格子ユニットの分解斜視図
【図７】支柱の取付態様説明図
【図８】支柱の上下端の取付金具の取付態様説明図
【図９】下用格子ユニットの取付態様説明図
【図１０】中間用用格子ユニットの取付態様説明図
【図１１】２段目用格子ユニットの取付態様説明図
【図１２】上用格子ユニットの取付態様説明図
【図１３】支柱の上端が開放されている場合の格子ユニットの取付態様説明図
【符号の説明】
【００５１】
ａ、ｂ、ｃ、ｄ  格子ユニット
２ａ、２ｂ  支柱
３  横格子
４    縦材
６    連結材
７    係合突部
９    被係合部
【図１】
2009068270.tif 000003
【図２】
2009068270.tif 000004
【図３】
2009068270.tif 000005
【図４】
2009068270.tif 000006
【図５】
2009068270.tif 000007
【図６】
2009068270.tif 000008
【図７】
2009068270.tif 000009
【図８】
2009068270.tif 000010
【図９】
2009068270.tif 000011
【図１０】
2009068270.tif 000012
【図１１】
2009068270.tif 000013
【図１２】
2009068270.tif 000014
【図１３】
2009068270.tif 000015